【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
通信回線を介して通信可能な外部装置から情報を取得し、所定の処理を実行する画像形成装置において、
前記情報の取得場所を特定するための資源特定情報と、前記資源特定情報にアクセスするタイミングを特定するためのタイミング情報と、前記資源特定情報で特定される情報を取得した後、画像形成処理を行うか否かの印刷実行設定情報とを少なくとも含む設定情報を記憶する記憶手段と、
前記タイミング情報に基づき特定されるタイミングで前記通信回線を介して前記資源特定情報にアクセスし、前記資源特定情報で特定される場所から情報を取得する情報取得手段と、
前記取得した情報を、前記印刷実行設定情報に応じて、画像形成して出力するか、もしくは画像形成せずに前記記憶手段に記憶させる制御手段とを、有することを特徴とする画像形成装置。
【請求項２】
前記資源特定情報に基づいて取得された情報に予め定めた種類の情報が含まれるか否かを解析する解析手段を更に有し、
前記制御手段は、前記解析手段によって前記情報に前記予め定めた種類の情報が含まれると解析された場合には、前記印刷実行設定情報にかかわらず前記情報を画像形成せずに前記記憶手段に記憶させることを特徴とする請求項１に記載の画像形成装置。
【請求項３】
前記予め定めた種類の情報は動画情報であることを特徴とする請求項２に記載の画像形成装置。
【請求項４】
前記情報はＭＴＭＬの形式であり、前記解析手段は前記ＨＴＭＬの形式の情報に含まれるタグをチェックすることにより前記予め定めた種類の情報が含まれるか否かを解析することを特徴とする請求項２又は３に記載の画像形成装置。
【請求項５】
前記予め定めた種類の情報は所定枚数頁以上の印刷枚数を要するか否かの印刷枚数制限情報であることを特徴とする請求項２〜４の何れか１項に記載の画像形成装置。
【請求項６】
脱着可能な表示手段を有し、前記表示手段は前記記憶手段に記憶された情報を表示することを特徴とする請求項１〜５の何れか１項に記載の画像形成装置。
【請求項７】
前記表示手段は無線通信部を備えており、前記無線通信部を介しての通信状態に基づき前記制御手段は印刷を行なうようにすることを特徴とする請求項６に記載の画像形成装置。
【請求項８】
複数の前記資源特定情報の各々に対して前記印刷実行設定情報を登録させる登録手段を有することを特徴とする請求項１〜７のいずれか１項に記載の画像形成装置。
【請求項９】
通信回線を介して通信可能な外部装置から情報を受信し、所定の処理を実行する、情報処理装置において、
前記情報の取得場所を特定するための資源特定情報と、前記資源特定情報にアクセスするタイミングを特定するためのタイミング情報と、前記資源特定情報で特定される情報を取得した後、画像形成処理を行うか否かの印刷実行設定情報とを少なくとも含む設定情報を記憶する記憶手段と、
前記タイミング情報に基づき特定されるタイミングで前記通信回線を介して前記資源特定情報にアクセスし、前記資源特定情報で特定される場所から情報を取得する情報取得手段と、
前記取得した情報を、前記印刷実行設定情報に応じて、通信可能に接続された画像形成装置によって画像形成させ出力するか、もしくは画像形成せずに前記記憶手段に記憶させる制御手段とを、有することを特徴とする情報処理装置。
【請求項１０】
通信回線を介して通信可能な外部装置から情報を取得し、所定の処理を実行する画像形成装置の制御方法であって、
前記情報の取得場所を特定するための資源特定情報と、前記資源特定情報にアクセスするタイミングを特定するためのタイミング情報と、前記資源特定情報で特定される情報を取得した後、画像形成処理を行うか否かの印刷実行設定情報とを少なくとも含む設定情報を記憶する記憶ステップと、
前記タイミング情報に基づき特定されるタイミングで前記通信回線を介して前記資源特定情報にアクセスし、前記資源特定情報で特定される場所から情報を取得する情報取得ステップと、
前記取得した情報を、前記印刷実行設定情報に応じて、画像形成して出力するか、もしくは画像形成せずに前記記憶手段に記憶させる制御ステップとを、有することを特徴とする画像形成装置の制御方法。
【請求項１１】
前記資源特定情報に基づいて取得された情報に予め定めた種類の情報が含まれるか否かを解析する解析ステップを更に有し、
前記制御ステップは、前記解析ステップによって前記情報に前記予め定めた種類の情報が含まれると解析された場合には、前記印刷実行設定情報にかかわらず前記情報を画像形成せずに記憶させることを特徴とする請求項１０に記載の画像形成装置の制御方法。
【請求項１２】
前記予め定めた種類の情報は動画情報であることを特徴とする請求項１１に記載の画像形成装置の制御方法。
【請求項１３】
前記情報はＭＴＭＬの形式であり、前記解析手段は前記ＨＴＭＬの形式の情報に含まれるタグをチェックすることにより前記予め定めた種類の情報が含まれるか否かを解析することを特徴とする請求項１１又は１２に記載の画像形成装置の制御方法。
【請求項１４】
前記予め定めた種類の情報は所定枚数頁以上の印刷枚数を要するか否かの印刷枚数制限情報であることを特徴とする請求項１１〜１３の何れか１項に記載の画像形成装置の制御方法。
【請求項１５】
前記画像形成装置が脱着可能な表示手段を有するとともに、前記記憶された情報を前記表示手段に表示する表示ステップを更に有することを特徴とする請求項１０〜１４の何れか１項に記載の画像形成装置の制御方法。
【請求項１６】
前記表示手段は無線通信部を備えており、前記無線通信部を介しての通信状態に基づき前記制御ステップは印刷を行なうようにすることを特徴とする請求項１５に記載の画像形成装置の制御方法。
【請求項１７】
複数の前記資源特定情報の各々に対して前記印刷実行設定情報を登録させる登録ステップを有することを特徴とする請求項１０〜１６のいずれか１項に記載の画像形成装置の制御方法。
【請求項１８】
通信回線を介して通信可能な外部装置から情報を受信し、所定の処理を実行する、情報処理装置の制御方法であって、
前記情報の取得場所を特定するための資源特定情報と、前記資源特定情報にアクセスするタイミングを特定するためのタイミング情報と、前記資源特定情報で特定される情報を取得した後、画像形成処理を行うか否かの印刷実行設定情報とを少なくとも含む設定情報を記憶する記憶ステップと、
前記タイミング情報に基づき特定されるタイミングで前記通信回線を介して前記資源特定情報にアクセスし、前記資源特定情報で特定される場所から情報を取得する情報取得ステップと、
前記取得した情報を、前記印刷実行設定情報に応じて、通信可能に接続された画像形成装置によって画像形成させ出力するか、もしくは画像形成せずに記憶させる制御ステップとを、有することを特徴とする情報処理装置の制御方法。
【請求項１９】
前記資源特定情報に基づいて取得された情報に予め定めた種類の情報が含まれるか否かを解析する解析ステップを更に有し、
前記制御ステップは、前記解析ステップによって前記情報に前記予め定めた種類の情報が含まれると解析された場合には、前記印刷実行設定情報にかかわらず前記情報を画像形成せずに記憶させることを特徴とする請求項１８に記載の情報処理装置の制御方法。
【請求項２０】
前記予め定めた種類の情報は動画情報であることを特徴とする請求項１９に記載の情報処理装置の制御方法。
【請求項２１】
前記情報はＨＴＭＬの形式であり、前記解析ステップは前記ＨＴＭＬの形式の情報に含まれるタグをチェックすることにより前記予め定めた種類の情報が含まれるか否かを解析することを特徴とする請求項１８又は１９に記載の情報処理装置の制御方法。
【請求項２２】
前記制御ステップが、前記取得した情報を前記画像形成装置によって画像形成させる場合、当該画像形成装置が起動しているか否かを判定するとともに、起動していないと判断された場合には、前記画像形成装置の起動を行った後に、前記取得した情報に基づく印刷データを前記画像形成装置に送信することを特徴とする請求項１８〜２１の何れか１項に記載の情報処理装置の制御方法。
【請求項２３】
コンピュータに、請求項１０〜１７のいずれか１項に記載の画像形成装置の制御方法もしくは請求項１８〜２２のいずれか１項に記載の情報処理装置の制御方法を実行させるプログラム。
【請求項２４】
コンピュータに、請求項１０〜１７のいずれか１項に記載の画像形成装置の制御方法もしくは請求項１８〜２２のいずれか１項に記載の情報処理装置の制御方法を実行させるプログラムを記録したコンピュータ読み取り可能な記録媒体。
【手続補正２】
【補正対象書類名】明細書
【補正対象項目名】０００７
【補正方法】変更
【補正の内容】
【０００７】
すなわち、本発明の要旨は、通信回線を介して通信可能な外部装置から情報を取得し、所定の処理を実行する画像形成装置において、情報の取得場所を特定するための資源特定情報と、資源特定情報にアクセスするタイミングを特定するためのタイミング情報と、資源特定情報で特定される情報を取得した後、画像形成処理を行うか否かの印刷実行設定情報とを少なくとも含む設定情報を記憶する記憶手段と、タイミング情報に基づき特定されるタイミングで通信回線を介して資源特定情報にアクセスし、資源特定情報で特定される場所から情報を取得する情報取得手段と、取得した情報を、印刷実行設定情報に応じて、画像形成して出力するか、もしくは画像形成せずに記憶手段に記憶させる制御手段とを、有することを特徴とする画像形成装置に存する。
【手続補正３】
【補正対象書類名】明細書
【補正対象項目名】０００８
【補正方法】変更
【補正の内容】
【０００８】
また、本発明の別の要旨は、通信回線を介して通信可能な外部装置から情報を受信し、所定の処理を実行する、情報処理装置において、情報の取得場所を特定するための資源特定情報と、資源特定情報にアクセスするタイミングを特定するためのタイミング情報と、資源特定情報で特定される情報を取得した後、画像形成処理を行うか否かの印刷実行設定情報とを少なくとも含む設定情報を記憶する記憶手段と、タイミング情報に基づき特定されるタイミングで通信回線を介して資源特定情報にアクセスし、資源特定情報で特定される場所から情報を取得する情報取得手段と、取得した情報を、印刷実行設定情報に応じて、通信可能に接続された画像形成装置によって画像形成させ出力するか、もしくは画像形成せずに記憶手段に記憶させる制御手段とを、有することを特徴とする情報処理装置に存する。
また、本発明の別の要旨は、通信回線を介して通信可能な外部装置から情報を取得し、所定の処理を実行する画像形成装置の制御方法であって、情報の取得場所を特定できる資源特定情報と、資源特定情報にアクセスするタイミングを特定するためのタイミング情報と、資源特定情報で特定される情報を取得した後、画像形成処理を行うか否かの印刷実行設定情報とを少なくとも含む設定情報を記憶する記憶ステップと、タイミング情報で特定されるタイミングで通信回線を介して資源特定情報にアクセスし、資源特定情報で特定される場所から情報を取得する情報取得ステップと、取得した情報を、印刷実行設定情報に応じて、画像形成して出力するか、もしくは画像形成せずに記憶手段に記憶させる制御ステップとを、有することを特徴とする画像形成装置の制御方法に存する。
また、本発明の別の要旨は、通信回線を介して通信可能な外部装置から情報を受信し、所定の処理を実行する、情報処理装置の制御方法であって、情報の取得場所を特定できる資源特定情報と、資源特定情報にアクセスするタイミングを特定するためのタイミング情報と、資源特定情報で特定される情報を取得した後、画像形成処理を行うか否かの印刷実行設定情報とを少なくとも含む設定情報を記憶する記憶ステップと、タイミング情報で特定されるタイミングで通信回線を介して資源特定情報にアクセスし、資源特定情報で特定される場所から情報を取得する情報取得ステップと、取得した情報を、印刷実行設定情報に応じて、通信可能に接続された画像形成装置によって画像形成させ出力するか、もしくは画像形成せずに記憶させる制御ステップとを、有することを特徴とする情報処理装置の制御方法に存する。
また、本発明の別の要旨は、コンピュータに、本発明の画像形成装置の制御方法もしくは情報処理装置の制御方法を実行させるプログラム及びこのプログラムを記録したコンピュータ読み取り可能な記録媒体に存する。